(57)【要約】【目的】コネクタ同士を直接接続することにより第１の制御基板と第２の制御基板とを組み付けてなる制御基板において、コネクタ接続部に外力が加わるような場合でも、そのコネクタ接続部が破損することのない遊技機を提供する。【構成】演出制御基板１４を構成する共通回路基板６１と種類別回路基板６２との一側端部にそれぞれコネクタ部６３，６４を設けると共に、各回路基板６１，６２を並列させた状態でそれぞれのコネクタ部６３，６４を直接接続し、演出制御基板１４を取り付けるボックス下蓋５１には、コネクタ部６３，６４によって直接接続された各回路基板６１，６２をボックス下蓋５１から所定間隔を置いて固定する取付ボス５４と、コネクタ部６１，６２同士の接続部分の近傍部分を支持する支持フランジ５５と、を設けた。これにより、コネクタ部６１，６２同士の接続部分の破損を防止することができる。【選択図】　　　　図５
2004057292.tif 000002
【特許請求の範囲】
【請求項１】
遊技機に設けられる電気部品を制御する制御基板と、該制御基板を取り付ける基板ベースと、を備えた遊技機であって、
前記制御基板は、第１の制御基板と第２の制御基板とから構成され、該第１の制御基板と第２の制御基板との一側端部にコネクタを設けると共に、第１の制御基板と第２の制御基板とを並列させた状態でそれぞれのコネクタを直接接続し、
前記基板ベースには、前記コネクタによって直接接続された前記第１の制御基板と前記第２の制御基板とを基板ベースから所定間隔を置いて固定する固定部と、第１及び第２の制御基板同士のコネクタ接続部又はその近傍部分を支持する接続支持部と、を設けたことを特徴とする遊技機。
【請求項２】
前記接続支持部は、前記第１の制御基板と前記第２の制御基板との両方に跨って設けられることを特徴とする請求項１記載の遊技機。
【請求項３】
前記接続支持部は、前記第１及び第２の制御基板同士のコネクタ接続部の両側方に一対に設けられることを特徴とする請求項１又は請求項２記載の遊技機。
【発明の詳細な説明】
【０００１】
【発明の属する技術分野】
本発明は、遊技機に設けられる電気部品を制御する制御基板と、該制御基板を取り付ける基板ベースと、を備えた遊技機に関するものである。
【０００２】
【従来の技術】
従来より、弾球遊技機等の遊技機には、遊技機に設けられる電気部品を制御するための制御基板が設けられていた。また、このような制御基板には、第１の制御基板と第２の制御基板とを並列させた状態で各基板のコネクタ同士を直接接続することにより両基板を接続（ボード・トゥ・ボードの接続方法で接続）するものが提案されていた（例えば、特許文献１参照）。また、遊技機に設けられる制御基板としては、外部から保護するために基板ボックス内に収容されるものがある。このような構成においては、制御基板に設けられた外部接続用のコネクタに対して垂直方向に別のコネクタを押圧接続した際に制御基板が破損しないようにするため、制御基板のコネクタの裏面を支持する支持用突起を基板ボックスに一体的に設けたものも提案されていた（例えば、特許文献２参照）。
【０００３】
【特許文献１】
特公平６−２１８１号公報（第２−３頁、第１図）
【０００４】
【特許文献２】
特許２８２３０１４号公報（第２頁、図３）
【０００５】
【発明が解決しようとする課題】
ところで、上記特許文献１のようにボード・トゥ・ボードの接続方法で接続されてなる制御基板は、該制御基板を基板ベースに取り付けた状態で、コネクタ接続部が基板ベースから所定間隔を置いて配置されていた。しかしながら、このようなコネクタ接続部は、取り分け外力が加わることを考慮した構造とはなっていなかったため、制御基板を基板ベースに組み付ける時等に第１の制御基板と第２の制御基板とを接続するコネクタ接続部に外力が加わるような場合には、そのコネクタ接続部が破損する虞があった。また、特許文献２に示したような基板ボックスに支持用突起を設けた構成は、基板端部に設けた外部接続用のコネクタの裏面を支持用突起で支持するものであり、ボード・トゥ・ボードの接続方法におけるコネクタ接続部に関する開示はなかった。本発明は、上記した事情に鑑みなされたもので、その目的とするところは、第１の制御基板と第２の制御基板とを並列させた状態で各基板のコネクタ同士を直接接続することにより両基板を接続してなる制御基板において、コネクタ接続部に外力が加わるような場合でも、そのコネクタ接続部が破損することのない遊技機を提供することにある。
【０００６】
【課題を解決するための手段】
上記目的を達成するために、請求項１の発明においては、遊技機に設けられる電気部品を制御する制御基板と、該制御基板を取り付ける基板ベースと、を備えた遊技機であって、前記制御基板は、第１の制御基板と第２の制御基板とから構成され、該第１の制御基板と第２の制御基板との一側端部にコネクタを設けると共に、第１の制御基板と第２の制御基板とを並列させた状態でそれぞれのコネクタを直接接続し、前記基板ベースには、前記コネクタによって直接接続された前記第１の制御基板と前記第２の制御基板とを基板ベースから所定間隔を置いて固定する固定部と、第１及び第２の制御基板同士のコネクタ接続部又はその近傍部分を支持する接続支持部と、を設けたことを特徴とする。このように構成することにより、第１及び第２の制御基板同士のコネクタ接続部に外力が加わるような場合でも、基板ベースに設けられた接続支持部が外力に抗してコネクタ接続部又はその近傍部分を支持するので、コネクタ接続部の破損を防止することができる。
【０００７】
また、請求項２の発明においては、前記接続支持部は、前記第１の制御基板と前記第２の制御基板との両方に跨って設けられることを特徴とする。このように構成することにより、第１及び第２の制御基板のいずれの部分に外力が加わるような場合でも、確実にコネクタ接続部又はその近傍部分を支持することができ、ひいてはコネクタ接続部の破損を確実に防止することができる。また、第１の制御基板と第２の制御基板とを別々の接続支持部で支持する構成とした場合には、各接続支持部が第１及び第２の制御基板を支持する上端位置を厳密に合わせる加工（第１の制御基板と第２の制御基板との間で段差をなくすための加工）が必要となるが、この構成によれば、そのような加工が不要となる。
【０００８】
また、請求項３の発明においては、前記接続支持部は、前記第１及び第２の制御基板同士のコネクタ接続部の両側方に一対に設けられることを特徴とする。このように構成することにより、コネクタ接続部を圧迫することによる不都合を防止することができると共に、必要最小限の構成でコネクタ接続部を効率的に支持することができる。
【０００９】
【発明の実施の形態】
以下、図面を参照しつつ、本発明の一実施形態を詳細に説明する。なお、本実施形態における遊技機としては、ＬＣＤ等からなる画像表示装置（可変表示装置）により特図ゲームを行う遊技機であり、プリペイドカードによって球貸しを行うカードリーダ（ＣＲ：Ｃａｒｄ　Ｒｅａｄｅｒ）式の第１種パチンコ遊技機を例に採って説明する。しかし、適用対象となる遊技機としては、これに限るものではなく、例えば、ＬＣＤを搭載したスロットマシン等の遊技機にも適用可能である。
【００１０】
また、パチンコ遊技機等の弾球遊技機であっても、例えば、第２種あるいは第３種に分類されるパチンコ遊技機や、一般電役機、又はパチコンと呼ばれる確率設定機能付き弾球遊技機等であっても構わない。さらには、プリペイドカード（将来的にはＩＣコイン等も含む価値媒体）によって球貸しを行うＣＲ式パチンコ遊技機だけではなく、現金によって球貸しを行うパチンコ遊技機にも適用可能である。すなわち、ＬＣＤ等からなる画像表示装置を有し、特図ゲームに相当する演出表示を行うことが可能な遊技機であれば、どのような形態のものであっても構わない。
【００１１】
図１は、本実施形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２にはガイドレールによって囲まれた、ほぼ円形状の遊技領域が形成されており、遊技領域のほぼ中央位置には、特別図柄表示装置（可変表示装置）４が設けられている。特別図柄表示装置４の上部には、普通図柄を表示するための普通図柄表示装置１８（左右一対のＬＥＤ）が設けられている。なお、特別図柄表示装置４は、複数の可変表示部で特別図柄（識別情報）を個々に可変表示し、複数の可変表示部に設定される有効ライン上に特別図柄が同一図柄で揃った場合を大当りとする。
【００１２】
特別図柄表示装置４の下方位置には、電動チューリップ型役物（普通電動役物）５を兼用する特別図柄始動口（スタートチャッカ）６と、大当り発生（特定遊技状態の発生）時にソレノイド等を駆動することで開放動作を行う大入賞口（第１種特別電動役物）７とが上下に並んで配設されており、特別図柄始動口６の左の側方位置には、通過ゲート１９が配設されている。大入賞口７は、特別図柄始動口６への入賞タイミングに基づいて特図ゲームが行われた結果、大当りとなった場合に前面に設けられた大入賞口扉７ａの開放動作を行う。通過ゲート１９は、打球の通過に伴って普通図柄表示装置１８（普通図柄）の変動開始（普図ゲーム）を許可する。また、遊技機用枠３の左右上部位置には、効果音等を再生出力するためのスピーカ８Ｌ、８Ｒが設けられている。さらには、遊技領域内及び遊技領域周辺部には、光装飾用のランプ・ＬＥＤ９が設けられている。
【００１３】
図２は、本実施形態におけるパチンコ遊技機の背面図であり、主要基板の配置レイアウトを示す。パチンコ遊技機１は、詳細を後述するように、電源基板（電源部１０）と、主基板（遊技制御部１１）と、演出制御基板（演出制御部１４）と、払出制御基板（払出制御部１５）と、盤用外部端子基板１６と、枠用外部端子板１７とを備え、それぞれ適所に配設されている。
【００１４】
図３は、遊技制御部を中心としたシステム構成例を示すブロック図である。本実施形態におけるパチンコ遊技機１は、主として、電源部（電源基板）１０と、遊技制御部（主基板）１１と、入力部１２と、出力部１３と、演出制御部（演出制御基板）１４と、払出制御部（払出制御基板）１５と、盤用外部端子基板１６と、枠用外部端子板１７とを備えている。
【００１５】
電源部１０は、パチンコ遊技機１内の各回路に所定の電源電圧を供給するものである。遊技制御部１１は、遊技制御基板内に設けられた各種回路から構成されており、特図ゲームにおいて用いる乱数の生成機能、入力部１２を介して信号の入力を行う機能、出力部１３を介して信号の出力を行う機能、演出制御部１４及び払出制御部１５に対し、それぞれ制御コマンド信号を出力する機能、ホールの管理コンピュータに対し、各種情報を出力する機能を備えている。
【００１６】
入力部１２は、始動口スイッチ１２ａ、ゲートスイッチ１２ｂ、特定領域スイッチ１２ｃ、カウントスイッチ１２ｄ、入賞口スイッチ１２ｅ等から構成され、遊技球の検出を行うようになっている。出力部１３は、普通電動役物ソレノイド１３ａ、大入賞口内誘導板ソレノイド１３ｂ、大入賞口扉ソレノイド１３ｃ等から構成され、役物の開閉動作を行うようになっている。
【００１７】
演出制御部１４は、遊技制御部１１から送信される制御コマンド信号に基づいて、特図ゲームにおける特図表示制御、普図ゲームにおける普図表示制御、音声出力制御、ランプ表示制御を、それぞれ遊技制御部１１とは独立して実行するものである。払出制御部１５は、遊技球の貸出や賞球等の払出制御を行うものである。盤用外部端子基板１６及び枠用外部端子板１７は、各種遊技関連情報を外部に出力するためのものである。
【００１８】
ここで、特別図柄表示装置４上に表示される特別図柄の仮停止タイミングや変動時間等は、後述する変動パターン指定コマンドに従って一意に定まっている。すなわち、演出制御部１４、変動パターン指定コマンドを受け取ったタイミングから、特別図柄表示装置４上における特別図柄の変動、スピーカ８Ｌ、８Ｒからの音声出力及びランプ・ＬＥＤ９の明滅表示が連動して行われるように制御を行っている。
【００１９】
図４は、演出制御部の詳細を示すブロック図である。演出制御部１４は、遊技制御部１１とは独立して特図及び普図の各ゲームにおける表示制御を行う表示制御部１４ａ、スピーカ８Ｌ，８Ｒからの音の発生制御を行う音声制御部１４ｂ、ランプ・ＬＥＤ９の発光制御を行うランプ制御部１４ｃ、プログラムに従って各制御部１４ａ〜１４ｃの制御動作を行うＣＰＵ（Ｃｅｎｔｒａｌ　Ｐｒｏｃｅｓｓｉｎｇ　Ｕｎｉｔ）１４ｄ、遊技制御部１１からの信号に従って所定の構成部材を制御するプログラムや発光，発音のパターン等を記憶するＲＯＭ（Ｒｅａｄ　Ｏｎｌｙ　Ｍｅｍｏｒｙ）１４ｅ、ワークメモリとして使用される記憶手段の一例であるＲＡＭ（Ｒａｎｄｏｍ　Ａｃｃｅｓｓ　Ｍｅｍｏｒｙ）１４ｆから構成されている。
【００２０】
表示制御部１４ａは、遊技制御部１１から出力される表示制御コマンドデータ（変動パターン指定コマンド）に基づいて特図ゲームに用いられる画像を特別図柄表示装置４上に表示する。このため、表示制御部１４ａは、画像処理プロセッサとしてのＧＣＬ（Ｇｒａｐｈｉｃｓ　Ｃｏｎｔｒｏｌｌｅｒ　ＬＳＩ）２０と、動画圧縮・伸張部２１と、キャラクタのデータを格納するＣＧＲＯＭ２２と、フレームバッファ、キャラクタのソースデータ、パレットデータを格納するＳＤＲＡＭ（ＶＲＡＭ：Ｖｉｄｅｏ　　ＲＡＭ）２３と、特別図柄表示装置４に信号を出力するための表示制御部２４及びＤＡＣ２５と、普通図柄表示装置１８に信号を出力するための普通図柄駆動回路２６とを備えている。なお、ＧＣＬ２０は、描画順序や、色数、拡大縮小率、パレット番号、座標等を指定するためのパラメータとなるアトリビュートを解析するためのアトリビュート解析部２０ａ、ＳＤＲＡＭ２３におけるアドレス情報を生成するためのＶＲＡＭアドレス生成部２０ｂ、クリッピング部２０ｃ、半透明輝度変調部２０ｄ、パレットバッファ２０ｅ、ＣＧデータバッファ２０ｆから構成されている。
【００２１】
音声制御部１４ｂは、遊技制御部１１からの信号に従って音声や効果音を発生する音声ＩＣ３０と、音声データ等を記憶する音声ＲＯＭ３１と、音声信号を増幅してスピーカ８Ｌ，８Ｒに出力するための低周波増幅回路３２と、低周波増幅回路３２から出力される音声信号の出力レベルを設定されている音量に応じたレベルにするデジタルボリューム３３とを備えている。
【００２２】
ランプ制御部１４ｃは、ランプ・ＬＥＤ９を構成する遊技状態飾りランプ９ａに信号を出力するためのランプ駆動回路４０と、ランプ・ＬＥＤ９を構成する遊技状態飾りＬＥＤ９ｂに信号を出力するためのＬＥＤ駆動回路４１とを備えている。
【００２３】
次に、演出制御基板１４と該演出制御基板１４を収容する基板ボックス５０について図５及び図６を参照して説明する。演出制御基板１４は、図５に示すように、共通回路基板６１と種類別回路基板６２とに分割され、両者はそれぞれのコネクタ部６３，６４によって着脱自在に設けられている。そして、共通回路基板６１と種類別回路基板６２とからなる演出制御基板１４は、共通の基板ボックス５０に収容されている。
【００２４】
共通回路基板６１には、中央処理装置（ＣＰＵ１４ｄ）及びランダムアクセスメモリ（ＲＡＭ１４ｆ）を含む集積回路チップ６５、リードオンメモリ（ＲＯＭ１４ｅ）を含むＲＯＭ集積回路チップ６６、ランプ制御部１４ｃを構成するランプ制御回路集積回路チップ６７、音声制御部１４ｂを構成する音声制御回路集積回路チップ６８を含んでいる。ＲＯＭ集積回路チップ６６には、各種類別のパチンコ遊技機特有の制御プログラムが格納されているが、本実施形態では、共通回路基板６１の方に取り付けられている。そのため、種類別回路基板６２の交換時に、ＲＯＭ集積回路チップ６６も交換できるように、ＲＯＭ集積回路チップ６６は、共通回路基板６１上にコネクタ６９を取り付け、該コネクタ６９に対して着脱自在に設けられている。共通回路基板６１の一側端部には、基板面から凸状に延設されたコネクタ部６３が設けられている。コネクタ部６３には、多数の接続用電極７０が設けられており、各接続用電極７０には、共通回路基板６１内の所定の回路が接続されている。なお、実施形態中では、ＲＯＭ集積回路チップ６６を交換可能にするために共通回路基板６１（コネクタ６９）に対して着脱自在な構成としているが、これに限定しない。即ち、ＲＯＭ交換による不正行為を防止するために、ＲＯＭ集積回路チップ６６を共通回路基板６１から取り外しできないような構成としてもよい。
【００２５】
種類別回路基板６２には、共通回路基板６１側に取り付けられたＣＰＵ１４ｄとの間での信号の送受信を調整するための入出力インターフェイス集積回路チップ７１をはじめとして、表示制御部１４ａを構成する表示制御回路集積回路チップ７２が含まれている。種類別回路基板６２の一側端部には、コネクタ部６４が形成されている。コネクタ部６４は、共通回路基板６１のコネクタ部６３を受け入れるための挿入孔７３を含み、コネクタ部６３との間で直接接続（ボード・トゥ・ボードの接続）が可能となっている。種類別回路基板６２の別の一側端部には、パチンコ遊技機１の各被制御対象物と接続さるべきコネクタ７４が設けられている。なお、ボード・トゥ・ボードの接続方法とは、２枚の基板を並列させた状態で各基板のコネクタ同士を直接接続して両基板を接続する方法であり、２枚の基板が積層された状態で各基板のコネクタ同士を直接接続する接続方法は含まない。
【００２６】
なお、本実施形態では、共通回路基板６１のコネクタ部６３をいわゆる雄型にし、種類別回路基板６２のコネクタ部６４をいわゆる雌型としたが、両者は逆であっても構わない。また、コネクタ部６３，６４は、図示のものに限定されるわけではなく、他の電気的な接続コネクタであっても構わない。そして、種類別回路基板６２は、演出制御基板１４が取り付けられるパチンコ遊技機１の種類に応じて交換されるもので、所定の種類別回路基板６２が選ばれ、図示するように共通回路基板６１と電気的に結合される。
【００２７】
次に、共通回路基板６１と種類別回路基板６２とからなる演出制御基板１４を収容する基板ボックス５０について説明する。基板ボックス５０は、ボックス下蓋５１とボックス上蓋５２とから構成されている。ボックス下蓋５１は、長方形状の底壁５１ａと、該底壁５１ａの全周に立設される側壁５１ｂとを備えた筐体形状をなしている。底壁５１ａの四隅部、及び底壁５１ａにおける長手方向中央の両側端部には、それぞれ各回路基板６１，６２の四隅部に穿設された取付穴７５を介して各回路基板６１，６２をビス５３止めするための取付ボス５４が立設されている。取付ボス５４の高さ寸法は、ボックス下蓋５１に各回路基板６１，６２をビス５３止めした状態で、各回路基板６１，６２を底壁５１ａから所定間隔を置いて固定する値に設定されている。
【００２８】
また、底壁５１ａの中央部分には、ボックス下蓋５１に各回路基板６１，６２をビス５３止めした状態で、各回路基板６１，６２のコネクタ接続部の近傍部分（コネクタ部６３，６４同士の接続部分の左右の基板６１，６２）を支持する左右一対の支持フランジ５５が立設されている。左右一対の支持フランジ５５は、それぞれ底壁５１ａ（基板ボックス５０）の長手方向、言い換えれば各回路基板６１，６２の並列方向に沿って条設されると共に、各回路基板６１，６２の両方に跨るようにしてコネクタ接続部の両側方に一対に設けられている。また、底壁５１ａの長手方向に沿って条設される両側壁５１ｂの外面には、それぞれ左右一対の係合凸部５６が突設されると共に、ボックス上蓋５２をボックス下蓋５１に取り付けた状態で後述する取付フランジ５８の先端部分と当接してボックス下蓋５１に対するボックス上蓋５２の取り付け位置を規制する規制フランジ５７が突設されている。なお、係合凸部５６と規制フランジ５７が突設される側壁部分は、ボックス上蓋５２をボックス下蓋５１に取り付けた状態でそれぞれの外壁面が面一となるように若干凹んで形成されている。
【００２９】
一方、ボックス上蓋５２は、ボックス下蓋５１と同様に筐体形状をなし、その長手方向に沿って条設される両側壁５２ａの下端には、取付フランジ５８が凸状に延設されている。取付フランジ５８には、前記係合凸部５６との係合及び係合解除によってボックス上蓋５２をボックス下蓋５１に対して着脱自在に取り付ける係止穴５９が穿設されている。また、ボックス上蓋５２には、複数の放熱穴５２ｂと複数のコネクタ開口５２ｃ（図５中には、１つのみ図示）が穿設されている。コネクタ開口５２ｃは、演出制御基板１４を基板ボックス５０内に収容した状態で、演出制御基板１４（共通回路基板６１と種類別回路基板６２）に設けられる各接続用コネクタ（例えば、コネクタ７４等のように他の基板とハーネス付きコネクタで接続されるコネクタ）を外部に露出するための開口である。
【００３０】
しかして、上記したボックス下蓋５１とボックス上蓋５２から構成される基板ボックス５０内に演出制御基板１４を収容する際には、先ず、演出制御基板１４を構成する共通回路基板６１と種類別回路基板６２の各コネクタ部６３，６４同士をボード・トゥ・ボードの接続方法で接続する。そして、このようなコネクタ部６３，６４（共通回路基板６１と種類別回路基板６２）同士の接続によって一体となった演出制御基板１４を、取付穴７５を介してボックス下蓋５１の取付ボス５４にビス５３止めする。これにより、演出制御基板１４は、底壁５１ａから所定間隔を置いてボックス下蓋５１に取り付け固定されたことになり、このような所定間隔（例えば、５ｍｍ）が演出制御基板１４（共通回路基板６１と種類別回路基板６２）から発生する熱を冷却するスペースとして作用することで、基板ボックス５０内に収容される演出制御基板１４を熱から保護するようになっている。また、所定間隔をあけることで、演出制御基板１４にノイズが載るのを防止する効果を高めている。
【００３１】
また、このとき、演出制御基板１４のコネクタ接続部（コネクタ部６３，６４同士の接続部分）の近傍部分は、図６に示すように、ボックス下蓋５１に設けられた左右一対の支持フランジ５５によって支持された状態となる。即ち、演出制御基板１４を構成する各回路基板６１，６２の並列方向に沿って条設される左右一対の支持フランジ５５は、コネクタ接続部の両側方で各回路基板６１，６２の両方に跨って演出制御基板１４を支持するようになっている。これにより、コネクタ接続部に外力が加わるような場合でも、支持フランジ５５が外力に抗してコネクタ接続部を支持するので、コネクタ接続部の破損を防止することができる。
【００３２】
なお、支持フランジ５５によって支持されるコネクタ接続部の近傍部分とは、具体的に、コネクタ接続部と各基板６１，６２に穿設された取付穴７５との間に位置する基板面や、コネクタ接続部とこれに隣接する実装部品（例えば、音声制御回路集積回路チップ６８等）との間に位置する基板面であればよい。また、本実施形態のようにコネクタ接続部の近傍部分を支持する構成とした場合では、コネクタ接続部の裏面を支持する構成と違い、コネクタ接続部を圧迫することがないので、コネクタ接続部における接続不良等の不具合を防止することができる。また、本実施形態のように支持フランジ５５を２つとすることで、コネクタ接続部を効率的に支持することができる。具体的には、支持フランジを数多く設けた場合、コネクタ接続部に加わる外力を分散する上では効果的であるが、その反面、各支持フランジの高さ寸法（基板面を支持する支持フランジの上端面の位置）をより厳密に合わせる必要があり、加工を含めた製造的なコストが高くなる。
【００３３】
そして、上記したように演出制御基板１４をビス５３止めしたボックス下蓋５１に対して、その上面部分（演出制御基板１４の上面）を被覆するようにしてボックス上蓋５２を取り付ける。具体的には、ボックス下蓋５１の係合凸部５６とボックス上蓋５２の係止穴５９とを係合することで、特別な工具を用いることなく取り外しが可能なようにボックス上蓋５２をボックス下蓋５１に取り付ける。これにより、ボックス下蓋５１とボックス上蓋５２から構成される基板ボックス５０内に演出制御基板１４が固定された状態で収容される。
【００３４】
以上のように、本実施形態の構成によれば、遊技機に設けられる電気部品を制御する制御基板（例えば、演出制御基板１４）と、該制御基板を取り付ける基板ベース（例えば、ボックス下蓋５１）と、を備えた遊技機（例えば、パチンコ遊技機１）であって、前記制御基板は、第１の制御基板（例えば、共通回路基板６１）と第２の制御基板（例えば、種類別回路基板６２）とから構成され、該第１の制御基板と第２の制御基板との一側端部にコネクタ（例えば、コネクタ部６３，６４）を設けると共に、第１の制御基板と第２の制御基板とを並列させた状態でそれぞれのコネクタを直接接続し（ボード・トゥ・ボードの接続方法で接続し）、前記基板ベースには、前記コネクタによって直接接続された前記第１の制御基板と前記第２の制御基板とを基板ベースから所定間隔を置いて固定する固定部（例えば、取付ボス５４）と、第１及び第２の制御基板同士のコネクタ接続部又はその近傍部分（実施形態中では、コネクタ接続部の近傍部分）を支持する接続支持部（例えば、支持フランジ５５）と、を設けたことを特徴とする。このように構成することにより、第１及び第２の制御基板同士のコネクタ接続部に外力が加わるような場合でも、基板ベースに設けられた接続支持部が外力に抗してコネクタ接続部又はその近傍部分を支持するので、コネクタ接続部の破損を防止することができる。
【００３５】
また、上記した構成によれば、制御基板を第１及び第２の制御基板として２つの制御基板から構成することで、機種毎に回路構成等が変わっても、基板を他機種に転用することが可能となり、リサイクル効果が向上する。なお、実施形態中では、第１の制御基板を共通回路基板６１とする一方、第２の制御基板を種類別回路基板６２とすることで、元々１つの制御機能を有する制御基板を２つの制御基板に分割し、これらの基板をボード・トゥ・ボードの接続方法で接続する場合を例示しているが、この構成に限定するものではない。例えば、音制御基板と表示制御基板のように異なった制御機能を有する２つの制御基板を本発明に係る第１の制御基板と第２の制御基板とすることで、音制御基板と表示制御基板をボード・トゥ・ボードの接続方法で接続するようにしてもよい。
【００３６】
また、前記接続支持部は、前記第１の制御基板と前記第２の制御基板との両方に跨って設けられることを特徴とする。このように構成することにより、第１及び第２の制御基板のいずれの部分に外力が加わるような場合でも、確実にコネクタ接続部又はその近傍部分を支持することができ、ひいてはコネクタ接続部の破損を確実に防止することができる。また、第１の制御基板と第２の制御基板とを別々の接続支持部で支持する構成とした場合には、各接続支持部が第１及び第２の制御基板を支持する上端位置を厳密に合わせる加工（第１の制御基板と第２の制御基板との間で段差をなくすための加工）が必要となるが、この構成によれば、そのような加工が不要となる。
【００３７】
また、前記接続支持部は、前記第１及び第２の制御基板同士のコネクタ接続部の両側方に一対に設けられることを特徴とする。このように構成することにより、コネクタ接続部を圧迫することによる不都合を防止することができると共に、必要最小限の構成でコネクタ接続部を効率的に支持することができる。
【００３８】
なお、上記した実施形態では、基板ベース（ボックス下蓋５１）に設けられる接続支持部を、第１及び第２の制御基板同士のコネクタ接続部（コネクタ部６３，６４同士の接続部分）の両側方に設けられる一対の支持フランジ５５とすると共に、該支持フランジ５５によってコネクタ接続部の近傍部分を支持する構成としてるが、これに限定するものではなく、例えば、図７乃至図９に示す各変形例の構成であってもよい。図７に示す変形例の構成では、共通回路基板６１と種類別回路基板６２の並列方向と直交する方向に沿って条設される一対の支持フランジ８１ａ，８１ｂが接続支持部としてボックス下蓋５１の底壁５１ａに設けられている。そして、支持フランジ８１ａは、コネクタ接続部（コネクタ部６３，６４同士の接続部分）の近傍部分となる共通回路基板６１の下面を支持する一方、支持フランジ８１ｂは、コネクタ接続部の近傍部分となる種類別回路基板６２の下面を支持するようになっている。
【００３９】
また、図８に示す変形例の構成では、コネクタ接続部（コネクタ部６３，６４同士の接続部分）の裏面を直接支持する支持凸部８２が接続支持部としてボックス下蓋５１の底壁５１ａに設けられている。支持凸部８２の上面８２ａは、コネクタ接続部の裏面とほぼ同等の面積を備えることで、コネクタ接続部の裏面を支持するようになっている。
【００４０】
また、図９に示す変形例の構成では、共通回路基板６１と種類別回路基板６２の並列方向に沿って条設される１条の支持フランジ８３が接続支持部としてボックス下蓋５１の底壁５１ａに設けられている。支持フランジ８３は、その中程に切欠部８３ｃが穿設された凹形状をなすことで、その両端の凸部分が個々に回路基板６１，６２の下面を支持する支持部８３ａ，８３ｂとして形成されている。
【００４１】
【発明の効果】
以上、説明したところから明らかなように、請求項１の発明においては、遊技機に設けられる電気部品を制御する制御基板と、該制御基板を取り付ける基板ベースと、を備えた遊技機であって、前記制御基板は、第１の制御基板と第２の制御基板とから構成され、該第１の制御基板と第２の制御基板との一側端部にコネクタを設けると共に、第１の制御基板と第２の制御基板とを並列させた状態でそれぞれのコネクタを直接接続し、前記基板ベースには、前記コネクタによって直接接続された前記第１の制御基板と前記第２の制御基板とを基板ベースから所定間隔を置いて固定する固定部と、第１及び第２の制御基板同士のコネクタ接続部又はその近傍部分を支持する接続支持部と、を設けたことを特徴とする。このように構成することにより、第１及び第２の制御基板同士のコネクタ接続部に外力が加わるような場合でも、基板ベースに設けられた接続支持部が外力に抗してコネクタ接続部又はその近傍部分を支持するので、コネクタ接続部の破損を防止することができる。
【００４２】
また、請求項２の発明においては、前記接続支持部は、前記第１の制御基板と前記第２の制御基板との両方に跨って設けられることを特徴とする。このように構成することにより、第１及び第２の制御基板のいずれの部分に外力が加わるような場合でも、確実にコネクタ接続部又はその近傍部分を支持することができ、ひいてはコネクタ接続部の破損を確実に防止することができる。また、第１の制御基板と第２の制御基板とを別々の接続支持部で支持する構成とした場合には、各接続支持部が第１及び第２の制御基板を支持する上端位置を厳密に合わせる加工（第１の制御基板と第２の制御基板との間で段差をなくすための加工）が必要となるが、この構成によれば、そのような加工が不要となる。
【００４３】
また、請求項３の発明においては、前記接続支持部は、前記第１及び第２の制御基板同士のコネクタ接続部の両側方に一対に設けられることを特徴とする。このように構成することにより、コネクタ接続部を圧迫することによる不都合を防止することができると共に、必要最小限の構成でコネクタ接続部を効率的に支持することができる。
【図面の簡単な説明】
【図１】本発明の一実施形態におけるパチンコ遊技機を示す正面図である。
【図２】パチンコ遊技機を示す背面図である。
【図３】遊技制御部を中心としたシステム構成例を示すブロック図である。
【図４】図３における表示制御部の詳細を示すブロック図である。
【図５】演出制御基板と該演出制御基板を収容する基板ボックスを示す分解斜視図である。
【図６】共通回路基板と種類別回路基板とのコネクタ接続部を支持する支持フランジを示す部分拡大図である。
【図７】変形例におけるボックス下蓋を示す斜視図である。
【図８】変形例におけるボックス下蓋を示す斜視図である。
【図９】変形例におけるボックス下蓋を示す斜視図である。
【符号の説明】
１　パチンコ遊技機（遊技機）
２　遊技盤
４　特別図柄表示装置
１１　遊技制御基板
１４　演出制御基板（制御基板）
５０　基板ボックス
５１　ボックス下蓋（基板ベース）
５２　ボックス上蓋
５４　取付ボス（固定部）
５５　支持フランジ（接続支持部）
６１　共通回路基板（第１の制御基板）
６２　種類別回路基板（第２の制御基板）
６３，６４　コネクタ部（コネクタ）
【図１】
2004057292.tif 000003
【図２】
2004057292.tif 000004
【図３】
2004057292.tif 000005
【図４】
2004057292.tif 000006
【図５】
2004057292.tif 000007
【図６】
2004057292.tif 000008
【図７】
2004057292.tif 000009
【図８】
2004057292.tif 000010
【図９】
2004057292.tif 000011